(57)【要約】【課題】ユーザの視認性に合わせて印字濃度を変更して利便性を高める複合機１００を提供する。【解決手段】予め設定された表示濃度でタッチパネル２０１上の操作画面を表示するとともに、ユーザから、当該表示濃度の変更を受け付ける表示受付手段４０１と、前記表示濃度の変更を受け付けると、当該表示濃度を変更する表示濃度変更手段４０２と、前記表示濃度が変更されると、前記表示濃度が増加する程、印字濃度が増加するように、前記変更された表示濃度に対応して印字濃度を変更する印字濃度変更手段４０３とを備えることを特徴とする複合機１００を提供する。【選択図】図４
2014216893.tif 000002
【特許請求の範囲】
【請求項１】
操作部のタッチパネルの表示濃度と画像形成の印字濃度とを変更可能な画像形成装置において、
予め設定された表示濃度でタッチパネル上の画面を表示するとともに、ユーザから、当該表示濃度の変更を受け付ける表示受付手段と、
前記表示濃度の変更を受け付けると、当該表示濃度を変更する表示濃度変更手段と、
前記表示濃度が変更されると、前記表示濃度が増加する程、前記印字濃度が増加するように、前記変更された表示濃度に対応して印字濃度を変更する印字濃度変更手段と
を備えることを特徴とする画像形成装置。
【請求項２】
前記表示受付手段は、前記表示濃度が変更された際に、当該表示濃度が変更された時点又は当該表示濃度の変更により変更された印字濃度で画像形成の実行が完了した時点からの経過時間を計測し、当該経過時間が予め設定された所定時間を経過するか否かを判定し、前記経過時間が前記所定時間を超過した場合は、前記変更された表示濃度、印字濃度を予め設定された初期設定条件の表示濃度、印字濃度に戻す
請求項１に記載の画像形成装置。
【請求項３】
前記印字濃度変更手段は、前記表示濃度が変更された際に、前記変更後の表示濃度が所定の閾値を超過したか否かを判定し、前記変更後の表示濃度が前記閾値を超過した場合は、前記表示受付手段を介して前記表示濃度の変更を印字濃度に反映させるか否かをユーザに問い合わせ、前記表示濃度の変更を印字濃度に反映させる場合に、前記変更された表示濃度に対応して印字濃度を変更する
請求項１又は２に記載の画像形成装置。
【請求項４】
前記印字濃度変更手段は、前記変更された表示濃度に対応して印字濃度を変更する際に、トナー消費量を抑えるためのエコプリントモードが設定されて前記印字濃度を変更出来ない場合は、当該エコプリントモードの設定を解除して、前記印字濃度を変更する
請求項１−３のいずれか一項に記載の画像形成装置。
【請求項５】
前記表示濃度変更手段は、前記表示受付手段がユーザから前記印字濃度の変更を受け付けて、前記印字濃度変更手段が前記印字濃度を変更した場合、当該変更された印字濃度に対応して表示濃度を変更しない
請求項１−４のいずれか一項に記載の画像形成装置。
【請求項６】
操作部のタッチパネルの表示濃度と画像形成の印字濃度とを変更可能な画像形成装置の画像形成方法において、
予め設定された表示濃度でタッチパネル上の画面を表示するとともに、ユーザから、当該表示濃度の変更を受け付けるステップと、
前記表示濃度の変更を受け付けると、当該表示濃度を変更するステップと、
前記表示濃度が変更されると、前記表示濃度が増加する程、前記印字濃度が増加するように、前記変更された表示濃度に対応して印字濃度を変更するステップと
を備えることを特徴とする画像形成方法。
【請求項７】
請求項６に記載の画像形成方法をコンピュータに実行させるためのプログラム。
【請求項８】
請求項７に記載のプログラムを記憶したコンピュータに読み取り可能な記憶媒体。
【発明の詳細な説明】
【技術分野】
【０００１】
本発明は、画像形成装置及び画像形成方法に関し、詳しくは、ユーザの視認性に合わせて印字濃度を変更して利便性を高める画像形成装置及び画像形成方法に関する。
【背景技術】
【０００２】
従来、例えば、原稿画像をスキャナで読み取り、その読み取った画像を表示装置に表示し、該画像に対し所望の編集処理や加工処理等を指示する表示編集機能を備えたデジタルフルカラー複写機が知られている。このような複写機を用い、ユーザーは、最終的な複写作業を行う前に、複写対象の原稿画像を表示装置に表示し、その表示画像を見ながら所望とする編集処理や加工処理を行い、該処理が確定された後にプリントスタートキーを押下することにより、コピー画像を出力していた。
【０００３】
又、複写作業を行う場合、通常の原稿は自動濃度設定により濃度調整が行われるが、原稿の画像の状態が濃いめか薄めかに応じてユーザーがマニュアルで濃度調整を行っている。例えば、鉛筆で書かれた比較的低濃度の原稿である場合には、操作部に設けられた濃度調整キーにより濃いめに設定する。又、第２原図や両面原稿のような場合、圧板・ＡＤＦベルトの汚れや両面原稿による裏写りがコピーに現れるのを回避するために、複写濃度を薄めに設定する等の操作を行っている。
【０００４】
しかしながら、上記に示されるような従来の技術にあっては以下に示すような問題点があった。即ち、複写対象の原稿画像を表示装置に表示し、所望の編集等を行った後、複写機本体の操作部に設けられた濃度調整キーにより複写濃度を設定して複写しなけければならない。換言すれば、表示装置の画像と操作部で設定する濃度調整が相互にリンクされていないので、表示装置に表示されている画像を複写すると、どのような濃度のコピー画像が得られるかが判りづらいために試行錯誤を繰り返すことになり、作業性の低下やミスコピーによる経済性の低下を招来させていた。
【０００５】
例えば、薄紙の原稿や両面原稿を複写する場合は、原稿の透過率によりコピー画像に裏写りが生じやすく見にくい画像となってしまう。このような場合、マニュアルで濃度を明るめに調整する必要があるが、どのくらいの調整にしたらよいのか複写してみなけば判らないことが多かった。即ち、表示装置に画像を表示しながらコピー画像の濃度の程度を確認することができないという問題点があった。
【０００６】
このような問題を解決する技術として、特開平９−６０７０号公報（特許文献１）には、原稿画像を光学的に読み取りデジタル化した画像データを出力する画像読取手段と、前記画像読取手段で読み取った画像データに所定の補正処理を実行する画像処理手段と、前記画像処理手段で補正処理された画像データを表示し、該表示画像データに任意の加工処理を加える表示編集手段と、少なくとも所望の画像濃度に調整するための濃度調整キーを備えた操作手段と、前記画像処理手段で補正処理された画像データを記録紙に画像形成する画像形成手段とを備えた画像形成装置が開示されている。この画像形成装置では、前記表示編集手段に出力された表示画像データの明るさを調整する明るさ調整手段と、前記明るさ調整手段の調整値に対し、前記操作手段の濃度調整キーの濃度値を連動させて設定するシステム制御手段とを具備することを特徴とする。これにより、ユーザーが好みの濃度のコピー画像を得たい場合、最終的な複写を行う前に画像表示ユニットに画像を表示させ、表示画面を見ながら明るさ調整つまみを回していき希望の明るさに調整する。そして、この調整値はリアルタイムで画像形成時の濃度調整にフィードバックされる。従って、ユーザーは、希望の濃度のコピー画像をミスコピーすることなく的確に得ることができるとしている。
【先行技術文献】
【特許文献】
【０００７】
【特許文献１】特開平９−６０７０号公報
【発明の概要】
【発明が解決しようとする課題】
【０００８】
しかしながら、特許文献１に記載の技術では、表示された画像データ（プレビュー画像データ）の明るさ（表示濃度）に対応して画像形成の濃度値（印字濃度）を連動させているものの、タッチパネルの表示濃度との関係は不明である。つまり、読み取った原稿の画像データが画面表示されない画像形成装置やそのようなプレビュー表示機能が無い画像形成装置では、前記特許文献１に記載の技術では、有効でない場合があるという問題がある。
【０００９】
ところで、操作部のタッチパネルの表示濃度は、ユーザの視認性（視力の良し悪し）により、ユーザにとって見え難かったり見え易かったりするという現状がある。例えば、視力の悪いユーザであれば、前記タッチパネルの内容（画面の内容）が見え難いとともに、画像形成された印刷物の内容も見え難い可能性があり、前記表示濃度と前記印字濃度との両方の変更を行う必要がある。その場合は、大変、不便であるという問題がある。
【００１０】
そこで、本発明は、上記問題を解決するためになされたものであり、ユーザの視認性に合わせて印字濃度を変更して利便性を高める画像形成装置及び画像形成方法を提供することを目的とする。
【課題を解決するための手段】
【００１１】
上述した課題を解決し、目的を達成するために、本発明に係る画像形成装置は、操作部のタッチパネルの表示濃度と画像形成の印字濃度とを変更可能な画像形成装置を前提とする。
【００１２】
前記画像形成装置において、予め設定された表示濃度でタッチパネル上の画面を表示するとともに、ユーザから、当該表示濃度の変更を受け付ける表示受付手段と、前記表示濃度の変更を受け付けると、当該表示濃度を変更する表示濃度変更手段と、前記表示濃度が変更されると、前記表示濃度が増加する程、前記印字濃度が増加するように、前記変更された表示濃度に対応して印字濃度を変更する印字濃度変更手段とを備えることを特徴とする。
【００１３】
又、前記表示受付手段は、前記表示濃度が変更された際に、当該表示濃度が変更された時点又は当該表示濃度の変更により変更された印字濃度で画像形成の実行が完了した時点からの経過時間を計測し、当該経過時間が予め設定された所定時間を経過するか否かを判定し、前記経過時間が前記所定時間を超過した場合は、前記変更された表示濃度、印字濃度を予め設定された初期設定条件の表示濃度、印字濃度に戻す。
【００１４】
又、前記印字濃度変更手段は、前記表示濃度が変更された際に、前記変更後の表示濃度が所定の閾値を超過したか否かを判定し、前記変更後の表示濃度が前記閾値を超過した場合は、前記表示受付手段を介して前記表示濃度の変更を印字濃度に反映させるか否かをユーザに問い合わせ、前記表示濃度の変更を印字濃度に反映させる場合に、前記変更された表示濃度に対応して印字濃度を変更する。
【００１５】
又、前記印字濃度変更手段は、前記変更された表示濃度に対応して印字濃度を変更する際に、トナー消費量を抑えるためのエコプリントモードが設定されて前記印字濃度を変更出来ない場合は、当該エコプリントモードの設定を解除して、前記印字濃度を変更する。
【００１６】
又、前記表示濃度変更手段は、前記表示受付手段がユーザから前記印字濃度の変更を受け付けて、前記印字濃度変更手段が前記印字濃度を変更した場合、当該変更された印字濃度に対応して表示濃度を変更しない。
【００１７】
又、本発明は、操作部のタッチパネルの表示濃度と画像形成の印字濃度とを変更可能な画像形成装置の画像形成方法として提供することが出来る。
【００１８】
即ち、前記画像形成方法は、予め設定された表示濃度でタッチパネル上の画面を表示するとともに、ユーザから、当該表示濃度の変更を受け付けるステップと、前記表示濃度の変更を受け付けると、当該表示濃度を変更するステップと、前記表示濃度が変更されると、前記表示濃度が増加する程、前記印字濃度が増加するように、前記変更された表示濃度に対応して印字濃度を変更するステップとを備えることを特徴とする。
【００１９】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２０】
本発明の画像形成装置及び画像形成方法によれば、ユーザの視認性に合わせて印字濃度を変更して利便性を高めることが可能となる。
【図面の簡単な説明】
【００２１】
【図１】本発明に係る複合機の内部の全体構成を示す概念図である。
【図２】本発明に係る操作部の全体構成を示す概念図である。
【図３】本発明に係る複合機の制御系ハードウェアの構成を示す図である。
【図４】本発明の実施形態における複合機の機能ブロック図である。
【図５】本発明の第一の実施形態の実行手順を示すためのフローチャートである。
【図６】本発明の第一の実施形態のタッチパネル上に表示された操作画面の一例を示す図（図６（Ａ））と、本発明の第一の実施形態のタッチパネル上に表示された表示濃度調整画面の一例を示す図（図６（Ｂ））とである。
【図７】表示濃度印字濃度記憶手段４０４に記憶されたテーブルの一例を示す図（図７（Ａ））と、本発明の第一の実施形態のタッチパネル上に表示された操作画面の一例を示す図（図７（Ｂ））とである。
【図８】本発明の実施形態における印字濃度の変更前後の画像形成を示す図（図８（Ａ））と、本発明の第二の実施形態のタッチパネル上に表示された印字濃度変更画面の一例を示す図（図８（Ｂ））とである。
【図９】本発明の第二の実施形態の実行手順を示すためのフローチャートである。
【発明を実施するための最良の形態】
【００２２】
以下に、添付図面を参照して、本発明に係る画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２３】
＜画像形成装置＞
以下に、本発明の実施形態に係る画像形成装置について説明する。図１は、本発明の実施形態に係る画像形成装置の概略模式図である。但し、本発明に直接には関係しない各部の詳細は省略している。
【００２４】
尚、本発明に係る画像形成装置は、例えば、プリンタ、あるいはプリンタ、コピー、スキャナ、ファックス等を備えた複合機等が該当し、コピー機能、スキャナ機能、ファクシミリ機能、プリンタ機能等を備えた画像形成装置として機能する。
【００２５】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２６】
先ず、ユーザが複合機１００を利用する場合、原稿を筐体部の上面に備えられている原稿台１０１に載置する。続いて、ユーザは、前記原稿台１０１近傍に備えられている操作部１０２（操作パネル）を使用して、画像形成に関する設定条件の入力を当該操作部１０２の操作画面から入力する。そして、ユーザが、前記操作部１０２に設けられたスタートキーを押下すると、複合機１００が画像形成（印刷処理）を開始する。
【００２７】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００２８】
さて、前記画像データに基づいてトナー像を形成する部分が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００２９】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３０】
前記用紙は、複合機１００に備えられた複数の給紙カセット１１６から搬送される。搬送される時は、前記用紙は、給紙ローラ（ピックアップローラ）１１７により何れか１つの給紙カセット１１６から搬送路へ引き出される。各給紙カセット１１６には、それぞれ異なる紙種の用紙が収容されており、画像形成に関する設定条件に基づいて用紙が給紙（搬送）される。
【００３１】
搬送路に引き出された用紙は、搬送ローラ１１８やレジストローラ１１９により感光体ドラム１１０と転写器１１４の間に送り込まれる。前記用紙が送り込まれると、前記転写器１１４により前記トナー像が転写され、当該トナー像が転写された用紙は定着装置１２０に搬送される。
【００３２】
前記トナー像が転写された用紙が前記定着装置１２０に備えられた加熱ローラと加圧ローラの間を通過すると、前記トナー像に熱と圧力が印加されて、可視像が用紙に定着される。前記加熱ローラの熱量は、紙種に応じて最適に設定され、前記定着が適切に行われる。前記可視像が用紙に定着されて画像形成が終了し、当該用紙は搬送ローラ１１８により、経路切替部１２１へ導かれる。
【００３３】
前記経路切替部１２１では、前記複合機１００による切り替え指示により、前記用紙を、前記筐体部の側面に設けられた排紙トレイ１２２へ案内したり、排紙口１２３を介して、前記筐体部の胴内に設けられた胴内トレイ１２４へ案内したりする。前記用紙は、前記排紙トレイ１２２か胴内トレイ１２４に積載され、収容される。前記手順により、複合機１００の筐体部１２５は画像形成機能をユーザに提供する。
【００３４】
図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３５】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００３６】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。前記タッチパネル２０１の近傍には、タッチペン２０２が備えられており、ユーザがそのタッチペン２０２の先をタッチパネル２０１に接触させると、タッチパネル２０１下に設けられたセンサが接触先を検知する。
【００３７】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００３８】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００３９】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、操作部３０６（１０２）を内部バス３０７によって電気的に接続している。
【００４０】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と前記操作部３０６からのデータや指示、キーに対応する信号、命令等を授受し、図１に示した各駆動部の動作を制御する。
【００４１】
又、前記駆動部以外の後述する各手段（図４に示す）についても、前記ＣＰＵ３０１が、プログラムを実行することで当該各手段を実現する。前記ＲＯＭ３０２、ＨＤＤ３０４等には、以下に説明する各手段を実現するプログラムやデータが記憶されている。
【００４２】
＜本発明の第一の実施形態＞
次に、図４、図５を参照しながら、本発明の第一の実施形態に係る構成及び実行手順について説明する。図４は、本発明の複合機の機能ブロック図である。図５は、本発明の実行手順を示すためのフローチャートである。
【００４３】
先ず、ユーザが、原稿を原稿台１０１に載置して、複合機１００の電源を投入すると、表示受付手段４０１が、所定のメモリから初期設定条件を参照して、当該初期設定条件を所定の条件メモリに記憶させて、前記初期設定条件を受け付けた状態とする（図５：Ｓ１０１）。
【００４４】
ここで、前記初期設定条件の項目には、前記操作部１０２のタッチパネル２０１上の表示濃度と、画像形成における印字濃度（トナー消費量）とが含まれている。前記表示濃度は、最も薄い表示濃度を示す最小値「１」から最も濃い表示濃度を示す最大値「７」まで段階的に区分されており、前記初期設定条件として、前記最小値と最大値の中間値に対応する「４」と設定されている。又、前記印字濃度も同様であり、最も薄い印字濃度を示す最小値「１」から最も濃い表示濃度を示す最大値「７」まで段階的に区分されており、前記初期設定条件として、前記最小値と最大値の中間値に対応する「４」と設定されている。上述では、前記表示受付手段４０１が、前記表示濃度の初期設定条件として「４」を、前記印字濃度の初期設定条件として「４」をそれぞれ受け付けた状態とする。
【００４５】
次に、前記表示受付手段４０１は、前記条件メモリの設定条件（初期設定条件）に基づいた操作画面（初期画面）をタッチパネル２０１上に表示する（図５：Ｓ１０２）。
【００４６】
前記操作画面６００には、図６（Ａ）に示すように、所定のメッセージ「コピーできます。」６０１と、前記初期設定条件の項目に対応する設定項目キー６０２とが表示される。前記設定項目キー６０２には、前記表示濃度キー６０２ａと、前記印字濃度キー６０２ｂとが含まれる。又、前記操作画面６００の表示濃度は、前記初期設定条件「４」に基づいて表示される。
【００４７】
さて、ユーザが、前記操作画面６００を見ながら、所望の設定項目キー６０２を押下して、所望の設定条件を入力することになるが、ここで、ユーザが高齢者等の視力が悪いユーザであり、現時点での操作画面６００の表示濃度では、前記メッセージ６０１や設定項目キー６０２が見え難いと感じた場合、ユーザは、前記表示濃度キー６０２ａを押下すると、前記表示受付手段４０１は、当該表示濃度キー６０２ａの押下を受け付けて、当該表示濃度に対応する表示濃度変更画面をタッチパネル２０１上に表示する。
【００４８】
前記表示濃度調整画面６０３には、図６（Ｂ）に示すように、所定のメッセージ「表示濃度を調整できます。」６０４と、所定の指示を示すメッセージ「表示濃度を選択して下さい。表示濃度が高くなると、操作画面の表示が見やすくなります。」６０５と、前記表示濃度の設定可能な「１」から「７」までの設定値キー６０６と、現時点での設定値（初期設定条件の「４」）を示すカーソル６０７と、ＯＫキー６０８と、キャンセルキー６０９とが表示される。
【００４９】
ユーザは、前記表示濃度調整画面６０３を見ながら、自己が画面を見やすくなる表示濃度とするために、設定値キー「６」６０６ａを押下し、前記ＯＫキー６０８を押下すると、前記表示受付手段４０１が、前記設定値キー「６」６０６ａとＯＫキー６０８の押下を受け付けて（図５：Ｓ１０３ＹＥＳ）、その旨を表示濃度変更手段４０２に通知する。当該通知を受けた表示濃度変更手段４０２は、前記条件メモリに記憶された表示濃度「４」を前記設定値キーの「６」に書き換えて、前記表示濃度を変更する（図５：Ｓ１０４）。
【００５０】
前記表示濃度変更手段４０２が前記表示濃度を変更すると、その旨を印字濃度変更手段４０３に通知し、当該通知を受けた印字濃度変更手段４０３は、前記表示濃度が増加する程、前記印字濃度が増加するように、前記変更された表示濃度に対応して印字濃度を変更する（図５：Ｓ１０５）。
【００５１】
前記印字濃度変更手段４０３が前記印字濃度を変更する方法は、どのような方法でも構わないが、例えば、以下のようになされる。即ち、前記印字濃度変更手段４０３は、表示濃度印字濃度記憶手段４０４に記憶されたテーブルを参照する。
【００５２】
前記テーブル７００には、図７（Ａ）に示すように、表示濃度が増加する程、印字濃度が増加する直線が記憶されている。前記直線は、例えば、表示濃度が１増加すると、印字濃度が１増加する傾きを有する。
【００５３】
前記印字濃度変更手段４０３は、前記テーブル７００の表示濃度に前記変更後の表示濃度「６」を対応させて、当該テーブル７００の印字濃度「６」を参照し、当該印字濃度「６」を取得する。そして、前記印字濃度変更手段４０３は、前記条件メモリに記憶された印字濃度「４」を前記取得した印字濃度「６」に書き換えて、前記印字濃度を変更する。これにより、前記表示濃度の変更に連動して前記印字濃度を変更させることが可能となる。
【００５４】
前記印字濃度変更手段４０３が前記印字濃度を変更すると、その旨を表示受付手段４０１に通知し、当該通知を受けた表示受付手段４０１は、前記条件メモリの設定条件に基づいた操作画面をタッチパネル２０１上に表示する（図５：Ｓ１０６）。
【００５５】
前記操作画面７０１には、図７（Ｂ）に示すように、所定のメッセージ「コピーできます。」７０２と、前記設定項目キー７０３とが表示される。尚、前記設定項目キー７０３のうち、表示濃度キー７０３ａと、印字濃度キー７０３ｂとの背景は、初期設定条件と異なる条件が入力されたことから、他のキーの背景の色（白）と比較して異なる色（グレー）で表示される。又、ここで、前記操作画面７０１の表示濃度は、前記条件メモリの「６」に基づいて表示されるため、図６（Ａ）で表示されたメッセージ、設定項目キーと比較して文字等が強調された形態で表示される。これにより、視力の悪いユーザであっても、前記操作画面７０１の内容を十分に確認することが可能となる。
【００５６】
さて、ユーザが、前記操作画面７０１を見ながら、前記操作部２０１のスタートキー２０５を押下すると、前記表示受付手段４０１は、当該スタートキー２０５の押下を受け付けて（図５：Ｓ１０７ＹＥＳ）、その旨を画像形成手段４０５に通知し、当該通知を受けた画像形成手段４０５は、前記条件メモリに記憶された設定条件のうち、画像形成に関係する設定条件（例えば、印字濃度「６」等）を取得し、当該設定条件に基づいて所定の用紙に画像形成を実行する（図５：Ｓ１０８）。
【００５７】
ここで、前記設定条件のうち、印字濃度は、「４」から「６」へ自動的に変更されているため、図８（Ａ）に示すように、印字濃度「６」の画像形成（印刷物）は、印字濃度「４」の画像形成と比較して見やすくなる。そのため、視力の悪いユーザであれば、表示濃度の増加に伴い印字濃度が増加されることで、画像形成後の用紙の内容が見やすくなり、ユーザの利便性を向上させることが可能となる。
【００５８】
さて、前記画像形成手段４０５が画像形成の実行を完了すると、その旨を表示受付手段４０１に通知し、当該通知を受けた表示受付手段４０１は、再度、前記条件メモリの設定条件に基づいて操作画面を表示することになるが、更に、前記表示濃度の変更に伴い、所定のカウンタを用いて、前記表示濃度が変更された時点（又は前記印字濃度で画像形成の実行が完了した時点）からの経過時間を計測し、当該経過時間が予め設定された所定時間（例えば、３０分）を超過するか否かを判定する（図５：Ｓ１０９）。
【００５９】
前記判定の結果、前記経過時間が前記所定時間を超過しない場合は（図５：Ｓ１０９ＮＯ）、Ｓ１０２へ戻り、前記表示受付手段４０１は、前記変更された設定条件に基づいて操作画面を表示する。この場合、前記設定条件の表示濃度は、ユーザが変更した表示濃度（「６」）のままであるため、視力の悪いユーザが、続けて画像形成を複合機１００に実行させる際には、前記表示濃度、印字濃度の設定値をそのまま利用出来ることになる。そのため、視力の悪いユーザの操作性を向上させることが可能となる。
【００６０】
一方、前記判定の結果、前記経過時間が前記所定時間を超過した場合は（図５：Ｓ１０９ＹＥＳ）、前記表示受付手段４０１は、所定のメモリに記憶された初期設定条件を参照し、前記条件メモリの設定条件を当該初期設定条件に書き換えて、前記表示濃度、印字濃度を初期設定条件の表示濃度、印字濃度に戻し、前記初期設定条件を受け付けた状態とする（図５：Ｓ１１０）。
【００６１】
これにより、後続のユーザが、前記複合機１００に画像形成を実行させる場合には、初期設定条件に戻るため、視力の悪いユーザの表示濃度の履歴を消去することが可能となり、後続のユーザに合わせて設定条件の入力が可能となる。
【００６２】
尚、上述の場合は、前記表示濃度が増加された場合について説明したが、前記表示濃度が減少された場合であっても同様である。例えば、ユーザの視力が良かったり、タッチパネル２０１のチラつきが何らかの原因で著しかったりする場合に、ユーザが、前記表示濃度を「４」から「２」に変更した場合、前記印字濃度変更手段４０３は、前記表示濃度が減少する程、前記印字濃度が減少するように、前記変更された表示濃度に対応して印字濃度を変更する（図５：Ｓ１０５）。前記表示濃度が「４」から「２」に変更された場合は、前記印字濃度変更手段４０３は、前記表示濃度印字濃度記憶手段４０４に記憶されたテーブル７００を参照し、前記テーブル７００の表示濃度に前記変更後の表示濃度「２」を対応させて、当該テーブル７００の印字濃度「２」を参照し、当該印字濃度「２」を取得し、前記条件メモリに記憶された印字濃度「４」を前記取得した印字濃度「２」に書き換えて、前記印字濃度を変更することになる。
【００６３】
又、前記テーブル７００の直線は、表示濃度が１増加すると、印字濃度が１増加する傾きを有したが、前記表示濃度と印字濃度とが線形関係であれば、その傾きは特に限定しなくても良く、例えば、前記直線は、表示濃度が１増加すると、印字濃度が１増加する傾きを有するよう構成しても良い。前記傾きは、前記表示濃度の設定値の数と、前記印字濃度の設定値の数とに応じて適宜、設計変更可能である。
【００６４】
＜本発明の第二の実施形態＞
次に、図９を参照しながら、本発明の第二の実施形態に係る構成及び実行手順について説明する。図９は、本発明の実行手順を示すためのフローチャートである。本発明の第二の実施形態では、第一の実施形態と比較して、前記印字濃度変更手段４０３が問い合わす点で大きく異なる。
【００６５】
先ず、ユーザが、原稿を原稿台１０１に載置して、複合機１００の電源を投入すると、表示受付手段４０１が、前記メモリの初期設定条件を前記条件メモリに記憶させて、当該初期設定条件を受け付けた状態とし（図９：Ｓ２０１）、当該条件メモリの設定条件（初期設定条件）に基づいた操作画面（初期画面）をタッチパネル２０１上に表示する（図９：Ｓ２０２）。前記操作画面は、図６（Ａ）と同様であり、前記操作画面６００の表示濃度は、前記初期設定条件「４」に基づいて表示される。
【００６６】
ここで、ユーザは、前記操作画面６００を見ながら、前記表示濃度キー６０２ａを押下すると、前記表示受付手段４０１は、当該表示濃度キー６０２ａの押下を受け付けて、当該表示濃度に対応する表示濃度変更画面をタッチパネル２０１上に表示する。前記表示濃度変更画面は、図６（Ｂ）と同様であり、ユーザは、前記表示濃度変更画面６０３の設定値キー「６」６０６ａを押下し、前記ＯＫキー６０８を押下すると、前記表示受付手段４０１が、前記設定値キー「６」６０６ａとＯＫキー６０８の押下を受け付けて（図９：Ｓ２０３ＹＥＳ）、前記表示濃度変更手段４０２は、前記条件メモリに記憶された表示濃度「４」を前記設定値キーの「６」に書き換えて、前記表示濃度を変更する（図９：Ｓ２０４）。
【００６７】
前記表示濃度変更手段４０２が前記表示濃度を変更すると、前記印字濃度変更手段４０３は、前記変更後の表示濃度が所定の閾値（例えば、「５」等）を超過したか否かを判定する（図９：Ｓ２０５）。ここで、前記閾値は、管理者等のユーザにより予め設定された値であり、前記表示濃度の設定値に合わせて設計される。
【００６８】
前記判定の結果、前記変更後の表示濃度が前記閾値を超過しない場合は（図９：Ｓ２０５ＮＯ）、前記印字濃度変更手段４０３は特に何もせず、印字濃度は前記条件メモリに記憶された設定値のままとなる（図９：Ｓ２０９）。これにより、単に表示濃度を少し調整したユーザに対しては印字濃度を変更すること無く、画像形成することが可能となる。
【００６９】
一方、前記変更後の表示濃度が前記閾値を超過した場合は（図９：Ｓ２０５ＹＥＳ）、前記印字濃度変更手段４０３は、前記表示受付手段４０１を介して前記表示濃度の変更を印字濃度に反映させるか否かをユーザに問い合わせる。
【００７０】
具体的には、前記印字濃度変更手段４０３は、その旨を表示受付手段４０１に通知し、当該通知を受けた表示受付手段４０１は、前記表示濃度変更画面の前面にポップアップ形式で印字濃度変更画面を表示する（図９：Ｓ２０６）。
【００７１】
前記印字濃度変更画面８００には、図８（Ｂ）に示すように、所定の問い合わせを示すメッセージ「表示濃度が閾値を超過しました。印字濃度に反映させますか？」８０１と、ＯＫキー８０２と、キャンセルキー８０３とが表示される。
【００７２】
ユーザは、前記印字濃度変更画面８００を見ながら、印字濃度に反映させる必要が無いと思い、前記キャンセルキー８０３を押下すると、前記表示受付手段４０１は、当該キャンセルキー８０３の押下を受け付け（図９：Ｓ２０７ＮＯ）、その旨を印字濃度変更手段４０３に通知し、当該通知を受けた印字濃度変更手段４０３は、前記表示濃度の変更を印字濃度に反映させないと判定し、何もせず、印字濃度は前記条件メモリに記憶された設定値のままとなる（図９：Ｓ２０９）。
【００７３】
一方、ユーザは、前記印字濃度変更画面８００を見ながら、印字濃度に反映させる必要が有ると思い、前記ＯＫキー８０２を押下すると、前記表示受付手段４０１は、当該ＯＫキー８０２の押下を受け付けて（図９：Ｓ２０７ＹＥＳ）、その旨を印字濃度変更手段４０３に通知し、当該通知を受けた印字濃度変更手段４０３は、前記表示濃度の変更を印字濃度に反映させると判定し、前記表示濃度が増加する程、前記印字濃度が増加するように、前記変更された表示濃度に対応して印字濃度を変更する（図９：Ｓ２０８）。これにより、ユーザの希望に応じて、印字濃度の変更を表示濃度の変更に合わせて行なわせることが可能となる。
【００７４】
ここで、前記印字濃度変更手段４０３が、前記印字濃度を変更する際に、例えば、初期設定条件において、トナー消費量を抑えるためのエコプリントモードが設定されており、前記印字濃度の初期設定条件が「２」と比較的低い設定値に設定されて、前記印字濃度を変更出来ない場合に、前記印字濃度変更手段４０３は、前記エコプリントモードの設定を解除して、前記印字濃度を「２」から、前記表示濃度の変更に対応する設定値「６」に変更することになる。
【００７５】
さて、前記印字濃度変更手段４０３が前記印字濃度を変更すると、前記表示受付手段４０１は、前記条件メモリの設定条件に基づいた操作画面をタッチパネル２０１上に表示する（図９：Ｓ２０９）。前記操作画面は、図７（Ｂ）と同様であり、前記操作画面７０１の表示濃度は、前記設定条件「６」に基づいて表示される。尚、前記操作画面７０１の設定項目キー７０３の背景は、変更された設定条件により変更され、例えば、表示濃度のみ変更されれば、表示濃度キー７０３ａの背景のみ変更され、表示濃度と印字濃度が変更されれば、表示濃度キー７０３ａと、印字濃度キー７０３ｂとの背景が変更され、エコプリントモードの設定が解除されれば、エコプリントモードを示す設定項目キー（「エコプリント」キー）の背景が変更される。
【００７６】
ユーザが、前記操作画面７０１を見ながら、前記操作部２０１のスタートキー２０５を押下すると、前記表示受付手段４０１は、当該スタートキー２０５の押下を受け付けて（図９：Ｓ２１０ＹＥＳ）、前記画像形成手段４０５は、前記条件メモリに記憶された設定条件のうち、画像形成に関係する設定条件に基づいて所定の用紙に画像形成を実行する（図９：Ｓ２１１）。ここで、印字濃度が変更されている場合には、表示濃度の増加に伴い印字濃度が増加されることで、画像形成後の用紙の内容が見やすくなる。
【００７７】
そして、前記画像形成手段４０５が画像形成の実行を完了すると、前記表示受付手段４０１は、再度、前記条件メモリの設定条件に基づいて操作画面を表示するとともに、前記カウンタを用いて、前記表示濃度が変更された時点からの経過時間を計測し、当該経過時間が予め設定された所定時間を超過するか否かを判定する（図９：Ｓ２１２）。
【００７８】
前記判定の結果、前記経過時間が前記所定時間を超過しない場合は（図９：Ｓ２１２ＮＯ）、Ｓ２０２へ戻り、前記表示受付手段４０１は、前記変更された設定条件に基づいて操作画面を表示するため、前記設定条件の表示濃度は、ユーザが変更した表示濃度（「６」）のままとなり、視力の悪いユーザが継続使用の際には好適となる。
【００７９】
一方、前記判定の結果、前記経過時間が前記所定時間を超過した場合は（図９：Ｓ２１２ＹＥＳ）、前記表示受付手段４０１は、所定のメモリに記憶された初期設定条件を参照し、前記条件メモリの設定条件を当該初期設定条件に書き換えて、前記表示濃度、印字濃度を初期設定条件に戻し、前記初期設定条件を受け付けた状態とする（図９：Ｓ２１３）。
【００８０】
これにより、後続のユーザが、前記複合機１００に画像形成を実行させる場合には、初期設定条件に戻るため、視力の悪いユーザの表示濃度の履歴を消去することが可能となる。
【００８１】
以上のように、本発明では、予め設定された表示濃度でタッチパネル２０１上の操作画面を表示するとともに、ユーザから、当該表示濃度の変更を受け付ける表示受付手段４０１と、前記表示濃度の変更を受け付けると、当該表示濃度を変更する表示濃度変更手段４０２と、前記表示濃度が変更されると、前記表示濃度が増加する程、前記印字濃度が増加するように、前記変更された表示濃度に対応して印字濃度を変更する印字濃度変更手段４０３とを備えることを特徴とする。
【００８２】
これにより、視力の悪いユーザや視力が良いユーザがタッチパネルの表示濃度を変更した際に、それに対応して画像形成における印字濃度も変更されるため、画像形成後の印刷物を確認する際にユーザの視認性を高め、ユーザへの利便性を向上させることが可能となる。
【００８３】
尚、本発明では、前記表示濃度が変更された場合に、それに連動して印字濃度を変更するよう構成したが、その逆は想定しない。つまり、前記表示受付手段４０１が、ユーザから印字濃度の変更を受け付けたとしても、前記表示濃度変更手段４０２が、それに連動して表示濃度を変更することは無い。言い換えると、前記表示濃度変更手段４０２は、前記表示受付手段４０１がユーザから前記印字濃度の変更を受け付けて、前記印字濃度変更手段４０３が前記印字濃度を変更した場合、当該変更された印字濃度に対応して表示濃度を変更しない。これは、印字濃度を変更する場合は、ユーザ自身の視認性を原因とするものでなく、例えば、トナー残留量が少なくなった等の原因とすることがあり、ユーザ自身の視認性に直接的に関係ないからである。
【００８４】
又、本発明の実施形態では、複合機１００が各手段を備えるよう構成したが、当該各手段を実現するプログラムを記憶媒体に記憶させ、当該記憶媒体を提供するよう構成しても構わない。当該構成では、上記プログラムを複合機１００に読み出させ、その複合機１００が上記各手段を実現する。その場合、上記記録媒体から読み出されたプログラム自体が本発明の作用効果を奏する。さらに、各手段が実行するステップをハードディスクに記憶させる方法として提供することも可能である。
【００８５】
又、本発明の第一の実施形態又は第二の実施形態では、コピー機能に関して採用したが、例えば、ファクシミリ受信機能、プリント機能等に対しても採用できる。
【産業上の利用可能性】
【００８６】
以上のように、本発明に係る画像形成装置及び画像形成方法は、複合機はもちろん、複写機、プリンタ等に有用であり、ユーザの視認性に合わせて印字濃度を変更して利便性を高める画像形成装置及び画像形成方法として有効である。
【符号の説明】
【００８７】
１００  複合機
１０２  操作部
４０１  表示受付手段
４０２  表示濃度変更手段
４０３  印字濃度変更手段
４０４  表示濃度印字濃度記憶手段
４０５  画像形成手段
【図１】
2014216893.tif 000003
【図２】
2014216893.tif 000004
【図３】
2014216893.tif 000005
【図４】
2014216893.tif 000006
【図５】
2014216893.tif 000007
【図６】
2014216893.tif 000008
【図７】
2014216893.tif 000009
【図８】
2014216893.tif 000010
【図９】
2014216893.tif 000011